(57)【要約】      （修正有）【課題】足の不自由者等を移動させる装置において、被介護者を介護者が一人で楽に移乗させることを可能にした移乗装置を提供する。【解決手段】キャスタ２等により任意の方向に移動可能とした台盤１上に設けた支柱に軸止した操作アームの先端部に胸当部１２を連結し、フレーム３下部に被介護者の膝下部を挿入係止する膝当部１４を設け、胸当部１２をガイド板５を介し前方に膝当部１４をガイドレールを介し後方へ連動させる構成とする。【選択図】図１
2008279232.tif 000002
【特許請求の範囲】
【請求項１】
キャスター等により任意方向に移動可能な台盤上にフレームを立設し、フレーム下部に被介護者の膝下部を挿入係止する膝当部を設け、フレーム上端において被介護者の前方へ向かって下向きに傾斜するガイド板を取り付け、ガイド板上をローラーを介して移動する胸当部を設け、胸当部と膝当部とをフレームに軸止した装作アーム、並びに連結アームによって連動可能に設けたことを特徴とする移乗装置
【請求項２】
膝当部をフレームに被介護者側の前方へ向かって下向きに傾斜するレール板に沿って移動可能に設けたことを特徴とする請求項１に記載の移乗装置
【請求項３】
胸当部のガイド板への取り付けを胸当部前端下部に設けた上下のローラーによりガイド板を挟み胸当部の後方下部を連結アームを介して軸止したことを特徴とする請求項１、２に記載の移乗装置
【発明の詳細な説明】
【技術分野】
【０００１】  本発明は自力にて起立、歩行不可能な状況の人に対し、ベッド等から車椅子、便座等へ介護移乗手段としての移乗装置に関するものである。
【背景技術】
【０００２】  従来の移乗装置には、被介護者を立ち上がらせる手段として、胸当てに被介護者を固定し、前傾角度を暫時大きくさせて立ち上がらせる移乗機が提案されている。
【特許文献１】  特開２００３−１２６１６３
【発明の開示】
【発明が解決しようとしている課題】
【０００３】  従来の移乗装置は被介護者の腹部において、体全体の重さを持ち上げる力が必要とされ、労力負担が大きく女性介護人など、力の弱い介護者では手動操作が困難であった。又持ち上げるための操作アームを長く設ければ移動に不便を生じることとなる。
【０００４】  本発明は被介護者の上半身の体重を乗せる胸当部を前方移動させると共に、膝部を同時に後方へ押し込むことにより、腰部を楽に持ち上げ移乗可能に設けたものである。
【課題を解決するための手段】
【０００５】  上記負担を軽減する目的を達成するため、本発明は臀部を浮かせる点に着目した。すなわち被介護者を立ち上がらせる為には体全体を持ち上げねばならず、全体重を持ち上げる力が必要とされる。しかし被介護者をかがみ込ませて胸当部に体重を乗せて前方へ移動させると同時に、膝部分を伸直させるように斜上方へ押すことにより、足が伸びて被介護者の腰を楽に持ち上げることができる。
【実施例】
【０００６】  以下本発明の実施例を図面を参照して説明する。本装置は長方形の台盤１の四隅にキャスター２を取り付け、長手方向の中心位置よりやや前方にフレーム３を立設する。フレーム３はネジ４により高さ調節可能とする。【０００７】  フレーム３は、その上端において、被介護者側より前方に向かって、緩く下向きに傾斜したガイド板５が固定されている。又フレーム３の下部両側の膝下位置近くにガイド板５の傾斜と同様に設けたレール板６が取り付けられる。更にフレーム３のガイド板５とレール板６の中間部分おいて、介護者用の操作ハンドル７を装設し、その基部をフレーム３に軸８により揺動可能に軸止する。【０００８】  操作ハンドル７の基部には上下に各々直結アーム９、９’が操作ハンドル７と一体で軸止し、連動する。操作ハンドル７の他方には介護者がハンドルを上下させる操作グリップ１０及び被介護者用の握持グリップ１１が形成されている。【０００９】  ガイド板５には被介護者の胸部を乗せる胸当部１２がその前端下部に設けたガイドローラー１３、１３’により狭持系合している。更に胸当部１２はその後方下部で前記連結アーム９と連結されている。【０００１０】  胸当部１２の上面は左右方向に概ね、円弧状に凹んだ形状のクッション材で構成し、被介護者の固定バンドが設けてある。【０００１１】  レール板６には、被介護者の膝下部分に位置する膝当部１４が取り付けられる。
膝当部１４はその断面が略Ｕ字型に形成し、固定金具１５を介してレール板６に篏合する。更にレール板６は連結リンク１６により前記連結アーム９’に連結されている。【０００１２】  膝当部１４は第６図に具体例を示すが、フレーム３に固定されたレール板６にローラー１７が取り付けてあり、このローラー１７に断面コに字型の移動板１８により、シャフト１９及び取付管２０を介して膝当部１４が設けられる。膝当部１４は、シャフト１９及び取付管２Ｄの長穴２１及び、固定ネジ２２によって上下に移動可能としている。尚、膝当部がレール板６に沿って摺動可能なものであれば、いかなるものであってもよい。
【作用】
【０００１３】  前記実施例による移乗装置は、介護者が被介護者のベッド等の下部に台盤１部分を差し込み、両足を台盤１の上に乗せ、膝のやや下部を膝当部１４に差し込み、狭着状態で固定する。次に腹部及び胸部の部分を胸当部１２に載せると共に、固定ハンドル１３により確実に固定する。更に被介護者に両手で握手グリップ１１を握らせる。
尚これらの移乗準備において、被介護者の体格によって膝当部１４並びに胸当部１２をフレーム３の上下により確実に保持できる位置まで動かすものである。
【０００１４】  以上の準備をし、介護者は操作グリップ１０を握り下方に押し下げると、胸当部１２は連結アーム９を介してガイド板５上をガイドローラー１３、１３’によって前方に移動する。同時に膝当部１４もゆっくりと連結アーム９’を介して斜上後方へ移動し、膝を伸ばす補助をする。この両者の動きにより被介護者の腰を楽に浮かせことができるものである。
【発明の効果】
【０００１５】  本発明の移乗装置は介護者の労力を最小限の力で行える事を目的として、被介護者前方へ移動させ、膝関節を伸ばすことによって、より楽に腰部を持ち上げる効果を有する。
【図面の簡単な説明】
【０００１６】
【図１】本発明の側面図
【図２】本発明の中間移動位置を示す側面図
【図３】本発明の移動完了位置を示す側面図
【図４】本発明の正面図
【図５】本発明の胸当部の断面図
【図６】膝当部の正面拡大図
【符号の説明】
【００１７】１              台盤
２              キャスター
３              フレーム
４              ネジ
５              ガイド板
６              レール板
７              操作ハンドル
８              軸
９、９’        連結アーム
１０            操作グリップ
１１            握持グリップ
１２            胸当部
１３、１３’    ガイドローラー
１４            膝当部
１５            固定金具
１６            連結リンク
１７            ローラー
１８            移動板
１９            シャフト
２０            取付管
２１            長穴
２２            固定ネジ
【図１】
2008279232.tif 000003
【図２】
2008279232.tif 000004
【図３】
2008279232.tif 000005
【図４】
2008279232.tif 000006
【図５】
2008279232.tif 000007
【図６】
2008279232.tif 000008